【事件の表示】
　特許第３１１９６３７号「フロアパネル装置」の請求項１、２に係る特許に対する特許異議の申立てについて、次のとおり決定する。
【結　論】
　訂正を認める。
　特許第３１１９６３７号の請求項１ないし２に係る特許を取り消す。
【理　由】
一　手続の経緯
　本件特許第３１１９６３７号の請求項１及び２に係る発明は、平成１０年１１月２０日に特許出願され、平成１２年１０月１３日にその特許の設定登録がなされ、その後、請求項１及び２に係る発明の特許について江井浩孝より特許異議の申立てがなされ、取消理由通知がなされ、その指定期間内である平成１３年１１月２１日に訂正請求がなされたものである。
　
二　訂正の適否についての判断
１．訂正の内容
　平成１３年１１月２１日付けの訂正請求により、特許権者が求めている訂正の内容は以下のとおりである。
　
訂正事項１
　特許請求の範囲を次のように訂正する。
　「【請求項１】配線経路を形成するようにして所定間隔をおいて並ぶ複数のブロック状パネルを備え、かつ、前記ブロック状パネルの少なくとも一部の除去により形成される除去空間部と、その除去空間部に隣接する前記配線経路の少なくとも一部の隣接配線経路部とからなる中空スペースを形成するように、前記ブロック状パネルと略同一高さで前記中空スペースの上面側を覆うカバー部材を備え、前記カバー部材は、前記中空スペースとその中空スペースに隣接する前記配線経路との連通を妨げることなく形成されてなり、本体部と、その本体部を支持するように、前記中空スペースに隣接する前記ブロック状パネルに略接して立脚する支持脚部と、を備え、前記支持脚部は、前後および左右にそれぞれ一対ずつ、計二対備わっており、かつ、それら支持脚部は、前記中空スペースの四方に隣接するようにして前後および左右の方向において対向位置する、前記ブロック状パネルの側面にそれぞれ略接して立脚することを特徴とするフロアパネル装置。
　　【請求項２】前記複数のブロック状パネルは、前記配線経路の底面となる連結部によって連結されて一体に形成されていることを特徴とする請求項１に記載のフロアパネル装置。」
　
訂正事項２
　発明の詳細な説明の段落番号【０００７】の記載を次のように訂正する。
　「【課題を解決するための手段】
　この発明に係るフロアパネル装置は、前記目的を達成するために、次の構成からなる。すなわち、請求項１に記載の発明に係るフロアパネル装置は、配線経路を形成するようにして所定間隔をおいて並ぶ複数のブロック状パネルと、カバー部材とを備える。ここで、カバー部材は、前記ブロック状パネルの少なくとも一部の除去により形成される除去空間部と、その除去空間部に隣接する前記配線経路の少なくとも一部の隣接配線経路部とからなる中空スペースを形成するように、前記ブロック状パネルと略同一高さで前記中空スペースの上面側を覆うものである。さらに、カバー部材は、前記中空スペースとその中空スペースに隣接する前記配線経路との連通を妨げることなく形成されてなり、本体部と、その本体部を支持するように、前記中空スペースに隣接する前記ブロック状パネルに略接して立脚する支持脚部と、を備える。そして、前記支持脚部は、前後および左右にそれぞれ一対ずつ、計二対備わっており、かつ、それら支持脚部は、前記中空スペースの四方に隣接するようにして前後および左右の方向において対向位置する、前記ブロック状パネルの側面にそれぞれ略接して立脚する。」
　
訂正事項３
　発明の詳細な説明の段落番号【００１０】の記載を次のように訂正する。
　「また、カバー部材は、二対の支持脚部を介して、中空スペースに隣接するようにして前後および左右の方向において対向位置する、ブロック状パネル間に挟まれるので、このカバー部材は、ブロック状パネルがそれぞれ対向する方向、つまり前後および左右の方向にずれることはない。」
　
訂正事項４
　発明の詳細な説明の段落番号【００４０】の記載を次のように訂正する。
　「請求項１または２に記載されたフロアパネル装置によれば、ブロック状パネルの除去により形成される除去空間部と隣接配線経路部とで、広い中空スペースを確保することができ、その中空スペースに各種配線器具類を収容することができる。また、カバー部材の支持脚部は、配線の邪魔にならず、中空スペースに収容される配線器具類への自由な配線が可能となる。また、カバー部材は、二対の支持脚部を介して、前後および左右の方向において対向位置するブロック状パネル間に挟まれることとなり、その結果、カバー部材が、ブロック状パネルがそれぞれ対向する方向、つまり前後および左右の方向へずれるのを防ぐことができる。」
　
２．訂正の目的の適否、新規事項の有無及び拡張・変更の存否
　訂正事項１は、特許請求の範囲の減縮を目的とする訂正であり、訂正事項２ないし４は、明りょうでない記載の釈明を目的とする訂正である。そして、この訂正は、願書に添付した明細書又は図面に記載した事項の範囲内の訂正であり、さらに、実質上特許請求の範囲を拡張し、又は変更するものではない。
　
３．むすび
　以上のとおりであるから、上記訂正は、特許法第１２０条の４第２項及び同条第３項において準用する特許法第１２６条第２項から第４項までの規定に適合するので、当該訂正を認める。
　
三　特許異議の申立てについて
１．申立ての理由の概要
　特許異議申立人江井浩孝は、甲第１号証ないし第８号証を提出し、
（ア）請求項１及び２に係る発明は、甲第１号証ないし甲第４号証に記載された発明であるから、請求項１及び２に係る発明の特許は特許法第２９条の２（当審注：第２９条第１項第３号の誤り）の規定に違反してされたものであり、
（イ）請求項１及び２に係る発明は、甲第１号証ないし甲第３号証のいずれかに記載された発明と甲第４号証ないし甲第８号証のいずれかに記載された発明に基いて当業者が容易に発明をすることができたものであるから、請求項１及び２に係る発明の特許は特許法第２９条（当審注：第２９条第２項の誤り）の規定に違反してされたものであり、
（ウ）請求項１の記載は明確でないから、請求項１に係る発明の特許は特許法第３６条（当審注：第３６条第６項第２号の誤り）の規定に違反してされたものであって、
請求項１及び２に係る発明の特許は取り消されるべきものである旨主張している。
　
２．本件発明
　上記二において検討したように本件訂正が認められるから、本件請求項１及び２に係る発明（以下、「本件発明１及び２」という。）は、訂正明細書の特許請求の範囲の請求項１及び２に記載された次の事項により特定されるとおりのものである。
　
　「【請求項１】配線経路を形成するようにして所定間隔をおいて並ぶ複数のブロック状パネルを備え、かつ、前記ブロック状パネルの少なくとも一部の除去により形成される除去空間部と、その除去空間部に隣接する前記配線経路の少なくとも一部の隣接配線経路部とからなる中空スペースを形成するように、前記ブロック状パネルと略同一高さで前記中空スペースの上面側を覆うカバー部材を備え、前記カバー部材は、前記中空スペースとその中空スペースに隣接する前記配線経路との連通を妨げることなく形成されてなり、本体部と、その本体部を支持するように、前記中空スペースに隣接する前記ブロック状パネルに略接して立脚する支持脚部と、を備え、前記支持脚部は、前後および左右にそれぞれ一対ずつ、計二対備わっており、かつ、それら支持脚部は、前記中空スペースの四方に隣接するようにして前後および左右の方向において対向位置する、前記ブロック状パネルの側面にそれぞれ略接して立脚することを特徴とするフロアパネル装置。
　　【請求項２】前記複数のブロック状パネルは、前記配線経路の底面となる連結部によって連結されて一体に形成されていることを特徴とする請求項１に記載のフロアパネル装置。」
　
３．刊行物記載の発明
　当審が通知した取消理由に引用された刊行物（特開平７−２９８４２９号公報［異議申立人江井浩孝の提出した甲第２号証］）には、
（ア）「本実施例で使用したフロアパネル２は、合成樹脂から成り、平面形状がほぼ直角二等辺三角形のパネル本体２ａと、該パネル本体２ａの二等辺の下縁に沿って側方へほぼ平均的に突出する鍔部２ｂとを、一体的に成形したものである。二等辺には、更に、その上縁に沿ってそれぞれ切欠部１１，１１が形成してあり、前記鍔部２ｂには、二等辺に面して隣接するフロアパネル２同士が相互に係り合うように、凹凸に成形した係止部（図示省略）が設けてある。このフロアパネル２，２一対で正方形のブロックを形作り、それを縦横に敷設すると、各フロアパネル２の鍔部２ｂの上方に、前記切欠部１１，１１で縁取りされた溝が形成される。該切欠部１１に、正方形、或いは長方形の溝パネル１２の側縁を載置して溝を閉じることによって、ケーブルを配するための配線空隙１３が形成される。」（段落【０００９】）、
（イ）「本発明による分電盤は、本来、一対のフロアパネル２で形作る正方形ブロックの敷設位置に配設するものである。図３に示すように、正方形の一ブロックが欠如した箇所に該分電盤を固定して、該分電盤の上方に板状のフロアパネル（封止板１６）を、その四方に存在する切欠部１１に掛けた状態で載置しても良い」（段落【００１２】）
と記載されており、
（ウ）また、図２には、封止板１６がフロアパネル２と略同一高さで分電パネル８及び配線空隙を覆う点が記載されている。
　そして、上記（ア）ないし（ウ）の記載及び図２、図３の記載からみて、刊行物には、「配線空隙１３を形成するようにして所定間隔をおいて並ぶ複数の正方形のブロック（一対のフロアパネル２、２）を備え、かつ、正方形のブロックの欠如した箇所と、その欠如した箇所に隣接する配線空隙１３を正方形のブロックと略同一高さで覆う封止板１６を備えたフロアパネル装置。」の発明が記載されていると認められる。
　
４．対比・判断
（１）本件発明１について
　本件発明１と刊行物に記載の発明とを比較すると、刊行物に記載の発明の「配線空隙１３」、「正方形のブロック（一対のフロアパネル２、２）」、「正方形のブロックの欠如した箇所」及び「封止板１６」は、それぞれ本件発明１の「配線経路」、「ブロック状パネル」、「除去空間部」及び「カバー部材」に相当し、また、刊行物に記載の発明において、「正方形のブロックの欠如した箇所と、その欠如した箇所に隣接する配線空隙１３」を「封止板１６」で覆うことにより中空スペースが形成され、また、「封止板１６」が中空スペースとその中空スペースに隣接する「配線空隙１３」との連通を妨げないことは明らかであるから、両者は、「配線経路を形成するようにして所定間隔をおいて並ぶ複数のブロック状パネルを備え、かつ、ブロック状パネルの除去により形成される除去空間部と、その除去空間部に隣接する配線経路の隣接配線経路部とからなる中空スペースを形成するように、ブロック状パネルと略同一高さで中空スペースの上面側を覆うカバー部材を備え、カバー部材は、中空スペースとその中空スペースに隣接する配線経路との連通を妨げることなく形成されてなるフロアパネル装置。」の点で一致し、次の点で相違する。
　
相違点
　本件発明１では、カバー部材は、中空スペースに隣接するブロック状パネルに略接して立脚する支持脚部を備え、支持脚部は、前後および左右にそれぞれ一対ずつ、計二対備わっており、かつ、それら支持脚部は、中空スペースの四方に隣接するようにして前後および左右の方向において対向位置する、ブロック状パネルの側面にそれぞれ略接して立脚するのに対し、刊行物に記載の発明では、カバー部材は支持脚部を備えていない点
　
　そこで、相違点について検討すると、カバー部材に支持脚部を設けることは、例えば、実願平２−９３２７号（実開平３−９９１４２号）のマイクロフィルム（第６図等参照、異議申立人江井浩孝の提出した甲第１号証）、特公平６−７２４８３号公報（図１等参照）に記載のように周知技術である。そして、刊行物に記載の発明に周知技術を適用し、カバー部材に支持脚部を設ける際に、カバー部材が十分な強度、剛性を有するよう支持脚部を配置すること、及び支持脚部が配線経路を妨げないようにすることは当業者が当然に考慮することであって、支持脚部を前後および左右にそれぞれ一対ずつ、計二対設けるとともに、それら支持脚部が中空スペースの四方に隣接するようにして前後および左右の方向において対向位置する、ブロック状パネルの側面にそれぞれ略接して立脚するよう構成することは当業者が容易に想到し得ることにすぎない。
　そして、全体として本件発明１によりもたらされる効果も、刊行物に記載の発明及び周知技術から、当業者であれば当然に予測できる程度のものであって顕著なものではない。
　したがって、本件発明１は、刊行物に記載の発明及び周知技術に基いて当業者が容易に発明をすることができたものである。
　
（２）本件発明２について
　本件発明２は、本件発明１を引用し、さらに、「前記複数のブロック状パネルは、前記配線経路の底面となる連結部によって連結されて一体に形成されている」という構成を限定したものであり、本件発明２と刊行物に記載の発明とを比較すると、両者は、「（１）本件発明１について」で検討した相違点に加え、次の点で相違する。
　
相違点
　本件発明２では、複数のブロック状パネルは、配線経路の底面となる連結部によって連結されて一体に形成されているのに対し、刊行物に記載の発明では、そのような構成を有していない点
　
　そこで、相違点について検討すると、複数のブロック状パネルを配線経路の底面となる連結部によって連結して一体に形成することは、例えば、特公平６−７２４８３号公報、実公平６−１７９４４号公報に記載のように周知技術にすぎないから、刊行物に記載の発明に周知技術を適用して、相違点に係る本件発明２の構成とすることは当業者が容易になし得ることである。
　したがって、本件発明２は、刊行物に記載の発明及び周知技術に基いて当業者が容易に発明をすることができたものである。
　
５．むすび
　以上のとおりであるから、本件発明１及び２に係る発明の特許は、特許法第２９条第２項の規定に違反してされたものである。
　したがって、本件発明１及び２に係る発明の特許は、特許法第１１３条第２号に該当し、取り消されるべきものである。
　よって、結論のとおり決定する。
【異議決定日】
平成１４年１月１５日（２００２．１．１５）
【訂正の要旨】
訂正の要旨
　特許第３１１９６３７号発明の明細書を、本件特許異議申立に関連してなされた訂正請求書に添付された訂正明細書のとおりに訂正する。
　すなわち、特許請求の範囲の減縮を目的として訂正事項１のとおり、明りょうでない記載の釈明を目的として訂正事項２ないし４のとおり訂正する。
訂正事項１
　特許請求の範囲を次のように訂正する。
　「【請求項１】配線経路を形成するようにして所定間隔をおいて並ぶ複数のブロック状パネルを備え、かつ、前記ブロック状パネルの少なくとも一部の除去により形成される除去空間部と、その除去空間部に隣接する前記配線経路の少なくとも一部の隣接配線経路部とからなる中空スペースを形成するように、前記ブロック状パネルと略同一高さで前記中空スペースの上面側を覆うカバー部材を備え、前記カバー部材は、前記中空スペースとその中空スペースに隣接する前記配線経路との連通を妨げることなく形成されてなり、本体部と、その本体部を支持するように、前記中空スペースに隣接する前記ブロック状パネルに略接して立脚する支持脚部と、を備え、前記支持脚部は、前後および左右にそれぞれ一対ずつ、計二対備わっており、かつ、それら支持脚部は、前記中空スペースの四方に隣接するようにして前後および左右の方向において対向位置する、前記ブロック状パネルの側面にそれぞれ略接して立脚することを特徴とするフロアパネル装置。
　【請求項２】前記複数のブロック状パネルは、前記配線経路の底面となる連結部によって連結されて一体に形成されていることを特徴とする請求項１に記載のフロアパネル装置。」
訂正事項２
　発明の詳細な説明の段落番号【０００７】の記載を次のように訂正する。
　「【課題を解決するための手段】
　この発明に係るフロアパネル装置は、前記目的を達成するために、次の構成からなる。すなわち、請求項１に記載の発明に係るフロアパネル装置は、配線経路を形成するようにして所定間隔をおいて並ぶ複数のブロック状パネルと、カバー部材とを備える。ここで、カバー部材は、前記ブロック状パネルの少なくとも一部の除去により形成される除去空間部と、その除去空間部に隣接する前記配線経路の少なくとも一部の隣接配線経路部とからなる中空スペースを形成するように、前記ブロック状パネルと略同一高さで前記中空スペースの上面側を覆うものである。さらに、カバー部材は、前記中空スペースとその中空スペースに隣接する前記配線経路との連通を妨げることなく形成されてなり、本体部と、その本体部を支持するように、前記中空スペースに隣接する前記ブロック状パネルに略接して立脚する支持脚部と、を備える。そして、前記支持脚部は、前後および左右にそれぞれ一対ずつ、計二対備わっており、かつ、それら支持脚部は、前記中空スペースの四方に隣接するようにして前後および左右の方向において対向位置する、前記ブロック状パネルの側面にそれぞれ略接して立脚する。」
訂正事項３
　発明の詳細な説明の段落番号【００１０】の記載を次のように訂正する。
　「また、カバー部材は、二対の支持脚部を介して、中空スペースに隣接するようにして前後および左右の方向において対向位置する、ブロック状パネル間に挟まれるので、このカバー部材は、ブロック状パネルがそれぞれ対向する方向、つまり前後および左右の方向にずれることはない。」
訂正事項４
　発明の詳細な説明の段落番号【００４０】の記載を次のように訂正する。
　「請求項１または２に記載されたフロアパネル装置によれば、ブロック状パネルの除去により形成される除去空間部と隣接配線経路部とで、広い中空スペースを確保することができ、その中空スペースに各種配線器具類を収容することができる。また、カバー部材の支持脚部は、配線の邪魔にならず、中空スペースに収容される配線器具類への自由な配線が可能となる。また、カバー部材は、二対の支持脚部を介して、前後および左右の方向において対向位置するブロック状パネル間に挟まれることとなり、その結果、カバー部材が、ブロック状パネルがそれぞれ対向する方向、つまり前後および左右の方向へずれるのを防ぐことができる。」
（５４）【発明の名称】
フロアパネル装置
（５７）【特許請求の範囲】
　【請求項１】　配線経路を形成するようにして所定間隔をおいて並ぶ複数のブロック状パネルを備え、かつ、
　前記ブロック状パネルの少なくとも一部の除去により形成される除去空間部と、その除去空間部に隣接する前記配線経路の少なくとも一部の隣接配線経路部とからなる中空スペースを形成するように、前記ブロック状パネルと略同一高さで前記中空スペースの上面側を覆うカバー部材を備え、
　前記カバー部材は、前記中空スペースとその中空スペースに隣接する前記配線経路との連通を妨げることなく形成されてなり、本体部と、その本体部を支持するように、前記中空スペースに隣接する前記ブロック状パネルに略接して立脚する支持脚部と、を備え、
　前記支持脚部は、
前後および左右にそれぞれ一対ずつ、計二対
前記中空スペースの四方に隣接するようにして前後および左右の方向において
、
の側面
　【請求項２】　前記複数のブロック状パネルは、前記配線経路の底面となる連結部によって連結されて一体に形成されていることを特徴とする請求項１に記載のフロアパネル装置。
【発明の詳細な説明】
　【０００１】
　【発明の属する技術分野】
　この発明は、所定の配線経路を形成するフロアパネル装置に関するものである。
　【０００２】
　【従来の技術】
　従来、所定の配線経路を形成するフロアパネル装置として、例えば、実公平７−５２８６１号に示すものがあった。かかるフロアパネル装置２１は、図１５に示すように、所定の配線経路２２を形成するように、複数のブロック状パネル２３、２３が基礎床面に配置され、ブロック状パネル２３の少なくとも一部の除去により形成されたスペース２４に、そのスペース２４に対応した形状、つまり、除去されたブロック状パネル２３に対応した形状のカバー部材２５を配置するものであった。そして、このカバー部材２５は、内部に、配線器具類２６を収容するものであり、４隅には、それ自身で立脚するための支持脚部２５ａ、２５ａが設けられていた。
　【０００３】
　【発明が解決しようとする課題】
　ところで、従来のフロアパネル装置２１にあっては、前記カバー部材２５の支持脚部２５ａ、２５ａが障害となって配線器具類２６への自由な配線が妨げられ、配線作業が困難であった。すなわち、配線器具類２６への配線に伴って、支持脚部２５ａ、２５ａを避けるべくケーブル２７を迂回させて配線器具類２６に接続しなければならず、また、迂回の際には、そのケーブル２７を屈曲させなければならず、それらの作業は面倒であった。特に、屈曲させにくい光ファイバーなどのケーブル２７を配線経路２２の幅方向に屈曲させて配線器具類２６に接続する作業は、困難であった。
　【０００４】
　また、近年、配線器具類２６が大型化し、かかる配線器具類２６を設置する場合に、前記カバー部材２５の内部に収容できないケースもあった。
　【０００５】
　この発明は、上記した従来の欠点を解決するためになされたものであり、その目的とするところは、広い中空スペースを確保し、その中空スペースに各種配線器具類を収容することができるフロアパネル装置を提供することにある。
　【０００６】
　また、他の目的は、中空スペースに収容される配線器具類への自由な配線を可能とするフロアパネル装置を提供することにある。
　【０００７】
　【課題を解決するための手段】
　この発明に係るフロアパネル装置は、前記目的を達成するために、次の構成からなる。すなわち、
　請求項１に記載の発明に係るフロアパネル装置は、配線経路を形成するようにして所定間隔をおいて並ぶ複数のブロック状パネルと、カバー部材とを備える。ここで、カバー部材は、前記ブロック状パネルの少なくとも一部の除去により形成される除去空間部と、その除去空間部に隣接する前記配線経路の少なくとも一部の隣接配線経路部とからなる中空スペースを形成するように、前記ブロック状パネルと略同一高さで前記中空スペースの上面側を覆うものである。さらに、カバー部材は、前記中空スペースとその中空スペースに隣接する前記配線経路との連通を妨げることなく形成されてなり、本体部と、その本体部を支持するように、前記中空スペースに隣接する前記ブロック状パネルに略接して立脚する支持脚部と、を備える。そして、前記支持脚部は、
前後および左右にそれぞれ一対ずつ、計二対
前記中空スペースの四方に隣接するようにして前後および左右の方向において
、
の側面
　【０００８】
　こうして、このフロアパネル装置は、ブロック状パネルの少なくとも一部の除去により形成される除去空間部と、その除去空間部に隣接する配線経路の少なくとも一部の隣接配線経路部とからなる中空スペースを形成するように、カバー部材が、中空スペースの上面側を覆っている。このように、カバー部材によって形成される中空スペースは、除去空間部と少なくとも一部の隣接配線経路部とにまたがるものであり、そのスペースを広くすることができる。また、カバー部材は、中空スペースとその中空スペースに隣接する配線経路との連通を妨げることなく形成されており、広い中空スペースに、配線器具類を収容して、配線経路からこの配線器具類へ、あるいは、この配線器具類から前記配線経路へと配線することができる。また、中空スペースが下方に抜けて、基礎床面が表に現れている場合には、基礎床面の不陸や、基礎床面の内部から配線を引き出すための電線管等の突出部を、その中空スペースで逃がすことができる。
　【０００９】
　また、カバー部材の支持脚部は、中空スペースに隣接するブロック状パネルに略接して立脚しているので、その支持脚部は、配線の邪魔になることはなく、中空スペースに収容される配線器具類への自由な配線が可能になる。
　【００１０】
　また、カバー部材は、
二対
前後および左右の方向において
、
は
がそれぞれ対向する方向、つまり前後および左右の
　【００１１】
　また、請求項２に記載の発明に係るフロアパネル装置のように、前記複数のブロック状パネルは、前記配線経路の底面となる連結部によって連結されて一体に形成されてもよい。
　【００１２】
　【発明の実施の形態】
　以下、この発明に係るフロアパネル装置の実施の形態を図面に基づいて説明する。
　【００１３】
　図１ないし図５は、本発明に係るフロアパネル装置の第一の実施の形態を示す。図中符号１は、基礎床面、２は、基礎床面１に設置されるフロアパネル装置である。このフロアパネル装置２は、例えば、ポリエチレン樹脂等の合成樹脂材料からなり、床を形成するよう、平面視が略正方形で、上面が平らな所定高さのブロック状パネル３が、複数備わっている。それらブロック状パネル３、３は、このフロアパネル装置２の内部に配線経路としての配線溝４を形成するようにして、所定間隔をおいて左右および前後に並んで基礎床面１に配置される。
　【００１４】
　ここで、ブロック状パネル３は、その上面３ａの縁部全周が、帯状に一段下がった段部３ｂとなっている。この段部３ｂは、配線溝４の上面側を塞ぐ蓋板（図示せず）が架け渡されるようにして載置されるものである。そして、これらブロック状パネル３、３は、配線溝４の底面となるとともにブロック状パネル３、３と一体に樹脂成形される薄板状の連結部５によって、互いに連結されている。
　【００１５】
　そして、このフロアパネル装置２は、ある一つのブロック状パネル３の全周を囲む連結部５が幅の中央で切断されることで、そのブロック状パネル３の全体および、そのブロック状パネル３側につば状に残る連結部５が、除去されている（図１参照）。
　【００１６】
　さらに、このフロアパネル装置２は、カバー部材６を備えている。このカバー部材６は、上記するブロック状パネル３の除去により形成される除去空間部７と、その除去空間部７に隣接する配線溝４の全体からなる隣接配線経路部としての隣接配線溝部４ａと、からなる中空スペース８を形成するように、ブロック状パネル３と略同一高さで前記中空スペース８の上面側を覆っている。具体的には、カバー部材６は、略正方形平板状の本体部６ａと、その本体部６ａの各辺の両端部分を除く中間部分の、若干内側に入った位置から下方に延びる支持脚部６ｂ、６ｂとからなる。つまり、支持脚部６ｂ、６ｂは、前後および左右にそれぞれ一対ずつ、計二対備わっている。そして、本体部６ａは、前記中空スペース８の上面側を覆うものであり、各辺の中間部分およびコーナー部分が、中空スペース８を囲むようにして隣接する、ブロック状パネル３、３の段部３ｂ、３ｂに載ることで、この本体部６ａを含むカバー部材６は、中空スペース８に隣接するブロック状パネル３、３間に架設されて支持されている。一方、二対の各支持脚部６ｂ、６ｂは、前記中空スペース８の四方に隣接するようにして前後および左右の方向において対向位置する、ブロック状パネル３、３の側面にそれぞれに略接して、中空スペース８側に残る連結部５の上に立脚することで、本体部６ａを支持している。すなわち、この実施の形態においては、カバー部材６は、本体部６ａが、ブロック状パネル３、３の段部３ｂ、３ｂによって直接支持されるだけでなく、支持脚部６ｂ、６ｂを介して間接的に支持されている。
　【００１７】
　また、このようにして、カバー部材６は、各支持脚部６ｂ、６ｂが、中空スペースの四方に隣接する各ブロック状パネル３、３の側面に略接して、隣合う支持脚部６ｂ、６ｂ間が開放されることで、前記中空スペース８とその中空スペース８に隣接する配線溝４、４との連通を妨げることなく形成されている。
　【００１８】
　また、この実施の形態においては、ある一つのブロック状パネル３の全体の除去と、そのブロック状パネル３側につば状に残る連結部５の除去により、中空スペース８は、下方に抜けて、基礎床面１が表に現れている。
　【００１９】
　次に、以上の構成からなるフロアパネル装置２の作用効果について説明する。このフロアパネル装置２は、ある一つのブロック状パネル３の全体の除去により形成される除去空間部７と、その除去空間部７に隣接する隣接配線溝部４ａとからなる中空スペース８を形成するように、カバー部材６が、中空スペース８の上面側を覆っている。このように、カバー部材６によって形成される中空スペース８は、除去空間部７と隣接配線溝部４ａとにまたがるものであり、そのスペースを広くすることができる。
　【００２０】
　また、カバー部材６は、その本体部６ａが、ブロック状パネル３、３の段部３ｂ、３ｂによって直接支持されるだけでなく、支持脚部６ｂ、６ｂを介しても間接的に支持されており、この本体部６ａの支持を的確に行うことができる。しかも、カバー部材６は、中空スペース８とその中空スペース８に隣接する配線溝４、４との連通を妨げることなく形成されており、広い中空スペース８に、配線器具類９を収容して、配線溝４、４からこの配線器具類９へ、あるいは、この配線器具類９から前記配線溝４、４へと配線することができる（図４参照）。さらに、カバー部材６の二対の各支持脚部６ｂ、６ｂは、中空スペース８に隣接するブロック状パネル３、３に略接して立脚しているので、それら支持脚部６ｂ、６ｂが、配線の邪魔になることはなく、中空スペース８に収容される配線器具類９への自由な配線が可能となっている。また、カバー部材６は、前記二対の支持脚部６ｂ、６ｂを介して、中空スペース８に隣接するようにして前後および左右の方向において対向位置する、ブロック状パネル３、３間に挟まれることとなる。従って、このカバー部材６は、ブロック状パネル３、３がそれぞれ対向する方向、つまり前後および左右の方向にずれることはない。
　【００２１】
　また、中空スペース８が下方に抜けて、基礎床面１が表に現れており、基礎床面１の不陸（図５参照）や、基礎床面１の内部から配線を引き出すための電線管等の突出部を、その中空スペース８によって逃がすことができる。
　【００２２】
　また、カバー部材６は、ブロック状パネル３、３の段部３ｂ、３ｂによって支持されているので、支持脚部６ｂ、６ｂはなくともよく、この支持脚部６ｂ、６ｂを設けない場合には、当然に、中空スペース８に収容される配線器具類９への自由な配線が可能になる。
　【００２３】
　図６ないし図８は、本発明に係るフロアパネル装置の第二の実施の形態を示す。このフロアパネル装置１１は、第一の実施の形態に示すフロアパネル装置２とは、そのカバー部材６および中空スペース８（第二の実施の形態においては、カバー部材１２および中空スペース１３）が異なるが、他は同一であり、以下に、異なる部分を主に説明する。
　【００２４】
　カバー部材１２は、ある一つのブロック状パネル３の全体の除去により形成される除去空間部７と、その除去空間部７に隣接する配線溝４の内の前後に位置する隣接配線経路部としての隣接配線溝部Ｒ１と、からなる中空スペース１３を形成するように、ブロック状パネル３と略同一高さで前記中空スペース１３の上面側を覆っている。具体的には、カバー部材１２は、前後が長手となる長方形平板状の本体部１２ａと、その本体部１２ａの前後のそれぞれの辺から折れ曲がるようにして下方に延びる支持脚部１２ｂ、１２ｂとからなる。つまり、支持脚部１２ｂ、１２ｂは、前後に一対備わっている。そして、本体部１２ａは、その上面１２ｃが、ブロック状パネル３の段部３ｂと略同一高さとなっている。そして、本体部１２ａの上面１２ｃには、ブロック状パネル３の段部３ｂを除く上面３ａと同一形状のシート部材１２ｄが貼り付けられるようにして設けられており、このシート部材１２ｄの上面１２ｅは、ブロック状パネル３の上面３ａと略同一高さとなっている。一方、一対の各支持脚部１２ｂは、前記中空スペース１３に隣接するようにして前後の方向において対向位置する、ブロック状パネル３、３の側面にそれぞれに略接して、中空スペース１３側に残る連結部５の上に立脚することで、本体部１２ａを支持している。
　【００２５】
　また、本体部１２ａには、その本体部１２ａの左右のそれぞれの辺から折れ曲がるようにして下方に若干延びる、補強のためのリブ１２ｆ、１２ｆが設けられている。さらに、本体部１２ａには、各リブ１２ｆ、１２ｆの中央から幅狭に下方に延びて、つまり、左右のそれぞれに位置する配線溝４、４の中央部分においてその配線溝４、４に面するようにして延びて、次いで、基礎床面１に沿うように外方向に折れ曲がって延びる、Ｌ字形状の補助支持脚部１２ｇ、１２ｇが設けられている。この補助支持脚部１２ｇ、１２ｇは、基礎床面１に立脚することで、支持脚部１２ｂ、１２ｂと同様に、本体部１２ａを支持している。また、補助支持脚部１２ｇ、１２ｇの、基礎床面１に沿う部分には、このカバー部材１２を基礎床面１にビス等で固定するための、取付孔１２ｈ、１２ｈが穿設されている。
　【００２６】
　このようにして、カバー部材１２は、補助支持脚部１２ｇ、１２ｇの両側にあるリブ１２ｆ、１２ｆの下方が開放されることで、前記中空スペース１３とその中空スペース１３に隣接する左右のそれぞれの配線溝４、４との連通を妨げることなく形成されている。
　【００２７】
　以上の構成からなるフロアパネル装置１１の作用効果は、第一の実施の形態に示すフロアパネル装置２とほぼ同様であるが、この第二の実施の形態においては、カバー部材１２は、その本体部１２ａが、ブロック状パネル３、３間に架設されて支持されることなく、中空スペース１３の前後に隣接するブロック状パネル３、３の側面に略接して立脚する支持脚部１２ｂ、１２ｂおよび、中空スペース１３の左右に隣接する配線溝４、４に面するようにして延びる補助支持脚部１２ｇ、１２ｇによって支持される。こうして、カバー部材１２の一対の各支持脚部１２ｂ、１２ｂは、中空スペース１３に隣接するブロック状パネル３、３の側面に略接して立脚しているので、それら支持脚部１２ｂ、１２ｂが、配線の邪魔になることはない。また、補助支持脚部１２ｇ、１２ｇは、中空スペース１３の左右に隣接する配線溝４、４の、両端部分ではなく、中央部分においてその配線溝４、４に面するようにして延びており、また幅狭に形成されているので、補助支持脚部１２ｇ、１２ｇの両側の、リブ１２ｆ、１２ｆの下方において、中空スペース１３とその中空スペース１３に隣接する前記左右の配線溝４、４との連通が十分に確保される。よって、補助支持脚部１２ｇ、１２ｇが、配線の邪魔になることはない。また、中空スペース１３と、その中空スペース１３に隣接する前記左右の配線溝４、４の、少なくとも両端部分との連通が確保されることにより、配線器具類に接続されるケーブルを、そのケーブルの急な屈曲を極力避けるようにして、配線することができる。また、これらの結果、支持脚部１２ｂ、１２ｂや補助支持脚部１２ｇ、１２ｇがあるにも拘らず、中空スペース１３に収容される配線器具類への自由な配線が可能になる。また、カバー部材１２は、一対の支持脚部１２ｂ、１２ｂを介して、中空スペース１３に隣接するようにして前後の方向において対向位置する、ブロック状パネル３、３間に挟まれることとなる。従って、このカバー部材１２は、ブロック状パネル３、３が対向する方向、つまり前後の方向にずれることはない。
　【００２８】
　また、カバー部材１２が、補助支持脚部１２ｇ、１２ｇの取付孔１２ｈ、１２ｈを介して、基礎床面１に固定された場合には、連結部５、５もまた、基礎床面１とカバー部材１２の支持脚部１２ｂ、１２ｂとで挟持されるようにして、基礎床面１に固定される。よって、連結部５、５と一体のブロック状パネル３、３もまた、カバー部材１２を介すことで、基礎床面１に固定されることとなる。こうして、カバー部材１２、連結部５、５およびブロック状パネル３、３は、基礎床面１に対してずれることはなく、このカバー部材１２によって形成される中空スペース１３に、配線器具類を確実に収容することができる。
　【００２９】
　本発明は、上述した実施の形態に限定されるわけではなく、その他種々の変更が可能である。例えば、第一の実施の形態に示すフロアパネル装置２は、ブロック状パネル３、３が、配線溝４、４の底面となる連結部５、５によって連結されて一体に形成されているが、連結部５、５の幅の中央で、あるいは連結部５、５をなくすことにより、分断されて別体に形成されてもよい。この場合、除去空間部７を形成するためのブロック状パネル３の除去は、一旦、全てのブロック状パネル３、３を基礎床面１に配置した後に行ってもよく、また、初めから除去すべきブロック状パネル３を除いた他のブロック状パネル３、３のみを基礎床面１に配置することで行ってもよい。
　【００３０】
　また、第一の実施の形態に示すフロアパネル装置２は、ある一つのブロック状パネル３の除去にあたり、そのブロック状パネル３の全周を囲む連結部５、５が、幅の中央で切断されなくとも、幅の内側あるいは外側等いずれの場所で切断されてもよい。さらには、ブロック状パネル３の除去にあたり、そのブロック状パネル３の底面を残して、その上側のみを除去してもよい。
　【００３１】
　また、第一の実施の形態に示すフロアパネル装置２のカバー部材６は、一体に形成されなくとも、図９および図１０に示すように、中央において分割されて二体の構成体Ｘ、Ｘからなっていてもよく、また、三体以上の構成体からなっていてもよい。ここで、分割された左右の構成体Ｘ、Ｘは、互いに突き合う部分に、折れ曲がるようにして下方に若干延びる、補強のためのリブＸ１、Ｘ１が設けられている。
　【００３２】
　また、第一の実施の形態に示すフロアパネル装置２は、ある一つのブロック状パネル３の全体が除去されなくとも、図１１に示すように、例えば、左側の半分が除去されて、その除去された左側の半分が除去空間部７となってもよい。この場合、カバー部材６は、左側の半分のみで構成されて、図９に示す構成体Ｘをそのまま使用してもよい。
　【００３３】
　同様に、第一の実施の形態に示すフロアパネル装置２は、図１２に示すように、例えば、ある一つのブロック状パネル３の左上側の１／４が除去されて、その除去された左上側の１／４が除去空間部７となってもよい。この場合、カバー部材６は、同様にして、左上側の１／４のみで構成されて、残されたブロック状パネル３の側面に略接して立脚して、このカバー部材６の本体部６ａを支持する支持脚部６ｂ、６ｂが形成されている。
　【００３４】
　また、第一の実施の形態に示すフロアパネル装置２は、ある一つのブロック状パネル３の全体が除去されるだけでなく、二つ、あるいは三つ以上のブロック状パネル３、３が除去されて、その除去された除去空間部全体および隣接配線溝部からなる中空スペースの上面側を覆うようにして、カバー部材６が設けられてもよい。
　【００３５】
　また、第二の実施の形態に示すフロアパネル装置１１においても、第一の実施の形態に示すフロアパネル装置２に倣って、上記に示す種々の形状または構造に変更することができるのは勿論である。例えば、フロアパネル装置１１においては、図１３に示すように、ある一つのブロック状パネル３の、左側の半分が除去されて、その除去された左側の半分が除去空間部７となってもよい。この場合、カバー部材１２は、左側の半分のみで構成され、また、カバー部材１２には、補助支持脚部１２ｇに対向するようにして、半分残されたブロック状パネル３の側面に略接して立脚し、このカバー部材１２の本体部１２ａを支持する支持脚部１２ｂが形成されている。そして、補助支持脚部１２ｇに対向するこの支持脚部１２ｂの両側にも、リブ１２ｆ、１２ｆが形成されている。
　【００３６】
　同様に、フロアパネル装置１１においては、図１４に示すように、ある一つのブロック状パネル３の左上側の１／４が除去されて、その除去された左上側の１／４が除去空間部７となってもよい。この場合、カバー部材１２は、同様にして、左上側の１／４のみで構成され、また、カバー部材１２には、支持脚部１２ｂおよび補助支持脚部１２ｇに対向するようにして、残されたブロック状パネル３の側面に略接して立脚し、このカバー部材１２の本体部１２ａを支持する支持脚部１２ｂ、１２ｂが形成されている。そして、補助支持脚部１２ｇに対向する支持脚部１２ｂの両側にも、リブ１２ｆ、１２ｆが形成されている。
　【００３７】
　更に、第二の実施の形態に示すフロアパネル装置１１において、カバー部材１２の本体部１２ａの支持が、支持脚部１２ｂによって十分に可能であれば、補助支持脚部１２ｇはなくともよい。
　【００３８】
　なお、当然なことであるが、カバー部材６、１２に備わる支持脚部６ｂ、１２ｂは、一対あるいは二対に限られるものでなく三対以上であっても構わない。
　【００３９】
　【発明の効果】
　以上、詳述したところから明らかなように、この発明に係るフロアパネル装置によれば、次の効果がある。
　【００４０】
　請求項１または２に記載されたフロアパネル装置によれば、ブロック状パネルの除去により形成される除去空間部と隣接配線経路部とで、広い中空スペースを確保することができ、その中空スペースに各種配線器具類を収容することができる。また、カバー部材の支持脚部は、配線の邪魔にならず、中空スペースに収容される配線器具類への自由な配線が可能となる。また、カバー部材は、
二対の支持脚部を介して、前後および左右の方向において
がそれぞれ対向する方向、つまり前後および左右の
【図面の簡単な説明】
　【図１】
　この発明に係るフロアパネル装置の第一の実施の形態の、分解斜視図である。
　【図２】
　同じく、平面図である。
　【図３】
　同じく、図２におけるＡ−Ａ線による断面図である。
　【図４】
　同じく、中空スペースに配線器具類を収容した状態を示す平面図である。
　【図５】
　同じく、基礎床面が不陸な場合の、図３相当の断面図である。
　【図６】
　この発明に係るフロアパネル装置の第二の実施の形態の、平面図である。
　【図７】
　同じく、図６におけるＢ−Ｂ線による断面図である。
　【図８】
　同じく、図６におけるＣ−Ｃ線による断面図である。
　【図９】
　この発明に係るフロアパネル装置の他の実施の形態の、平面図である。
　【図１０】
　図９におけるＤ−Ｄ線による断面図である。
　【図１１】
　この発明に係るフロアパネル装置のさらに他の実施の形態の、平面図である。
　【図１２】
　この発明に係るフロアパネル装置のさらに他の実施の形態の、平面図である。
　【図１３】
　この発明に係るフロアパネル装置のさらに他の実施の形態の、平面図である。
　【図１４】
　この発明に係るフロアパネル装置のさらに他の実施の形態の、平面図である。
　【図１５】
　従来のフロアパネル装置を示す分解斜視図である。
　【符号の説明】
　１　基礎床面　　　　　　　　　　２　フロアパネル装置
　３　ブロック状パネル　　　　　　４　配線溝（配線経路）
　４ａ　隣接配線溝部（隣接配線経路部）　　５　連結部
　６　カバー部材　　　　　　　　　６ａ　本体部
　６ｂ　支持脚部　　　　　　　　　７　除去空間部
　８　中空スペース　　　　　　　　１１　フロアパネル装置
　１２　カバー部材　　　　　　　　１２ａ　本体部
　１２ｂ　支持脚部　　　　　　　　１３　中空スペース
　Ｒ１　隣接配線溝部（隣接配線経路部）